(57)【要約】【解決手段】再接着式メモ紙を出力するプリンタシステムにおいて、再接着式メモ紙を出力するプリンタと、前記再接着式メモ紙を収容し、前記プリンタと締結されるカートリッジと、を含み、前記カートリッジは、前記カートリッジに収容された前記再接着式メモ紙に対して予め定義された色情報を指示する指示部を含み、前記プリンタは、前記カートリッジに含まれた前記指示部にマッチングされ、前記指示部が指示する前記再接着式メモ紙の色情報を感知するための感知部を含み、プリンタに収容された再接着式メモ紙の色を認識し、前記再接着式メモ紙の色に応じてブルートゥース探索名が変更される、前記プリンタ及びブルートゥースを利用してプリンタと連結可能であり、前記ブルートゥース探索名を利用して所定のプリンタと連結されるユーザクライアントを含むシステムが開示される。
2019524481.tif 000002
【特許請求の範囲】
【請求項１】
再接着式メモ紙を出力するプリンタシステムにおいて、
プリンタに収容された再接着式メモ紙の色を示す色フィールドを含むブルートゥース探索名を有し、前記プリンタに収容された再接着式メモ紙の色を認識し、前記認識された色が前記ブルートゥース探索名の色フィールドが指示する色と異なる場合、前記認識された色に応じて前記ブルートゥース探索名の色フィールドを変更する、前記プリンタを含み、
１つ以上のプリンタに収容された再接着式メモ紙の色は、
前記ユーザクライアントにおいて、ブルートゥース探索を通じてペアリング可能な前記１つ以上のプリンタから取得したブルートゥース探索名の色フィールドを通じて取得することによって表示され、
前記表示された色のうち１つに対する選択の入力が発生することにより、前記選択された色に対応するブルートゥース探索名の色フィールドを有したブルートゥースプリンタが前記ユーザクライアントとペアリングを行う、再接着式メモ紙を出力するプリンタシステム。
【請求項２】
前記再接着式メモ紙を収容し、前記プリンタに締結されるカートリッジを含み、
前記カートリッジは、前記カートリッジに収容された前記再接着式メモ紙に対して予め定義された色情報を指示する指示部を含む、請求項１に記載の再接着式メモ紙を出力するプリンタシステム。
【請求項３】
前記プリンタは、
前記カートリッジに含まれた前記指示部にマッチングされ、前記指示部が指示する前記再接着式メモ紙の色情報を感知するための感知部を含む、請求項２に記載の再接着式メモ紙を出力するプリンタシステム。
【請求項４】
前記プリンタは、
前記感知部を利用して感知された前記再接着式メモ紙の色情報と前記ブルートゥース探索名の色フィールドが指示する色とが異なる場合、前記感知された色情報に応じて前記ブルートゥース探索名の色フィールドを変更する、請求項３に記載の再接着式メモ紙を出力するプリンタシステム。
【請求項５】
前記再接着式メモ紙の色情報は、予め定義された値に表現され、
前記指示部は、前記値を表現するための１つ以上の指示チャンネルを含み、
前記感知部は、前記１つ以上の指示チャンネルにマッチングされ、前記１つ以上の指示チャンネルの各々が表現する値を感知する１つ以上の感知チャンネルを含み、
前記プリンタは、前記１つ以上の感知チャンネルを利用して前記色情報を表現する値を取得し、前記取得した値から前記再接着式メモ紙の色情報を取得する、請求項４に記載の再接着式メモ紙を出力するプリンタシステム。
【請求項６】
前記再接着式メモ紙の色情報は、
予め定義された２進数にて表現され、前記１つ以上の指示チャンネルの各々は、前記２進数の各桁数を表現する０又は１を指示することを特徴とする、請求項５に記載の再接着式メモ紙を出力するプリンタシステム。
【請求項７】
前記１つ以上の感知チャンネルの各々は、発光ダイオードとフォトトランジスタとを含むフォトインタラプタにより構成され、前記１つ以上の指示チャンネルの各々は、前記１つ以上の指示チャンネルの各々が指示する値に応じて前記フォトトランジスタの受光を遮断できる手段を備え、前記１つ以上の感知チャンネルの各々は、前記フォトトランジスタの受光有無に応じて、前記１つ以上の指示チャンネルの各々が指示する値を感知する、請求項５に記載の再接着式メモ紙を出力するプリンタシステム。
【請求項８】
前記１つ以上の指示チャンネルの各々は、前記１つ以上の指示チャンネルの各々が指示する値に応じて異なる抵抗を有する抵抗素子を備え、前記１つ以上の感知チャンネルの各々は、前記指示チャンネルの各々に備えられた抵抗素子の抵抗を測定できる手段を備え、前記指示チャンネルの各々において測定された抵抗の大きさに応じて、前記１つ以上の指示チャンネルの各々が指示する値を感知する、請求項５に記載の再接着式メモ紙を出力するプリンタシステム。
【請求項９】
前記１つ以上の指示チャンネルの各々は、前記１つ以上の指示チャンネルの各々が指示する値に応じて異なる電流を流すことができる手段を備え、前記１つ以上の感知チャンネルの各々は、前記指示チャンネルの各々の電流を測定できる手段を備え、前記指示チャンネルの各々において測定された電流の大きさに応じて、前記１つ以上の指示チャンネルの各々が指示する値を感知する、請求項５に記載の再接着式メモ紙を出力するプリンタシステム。
【請求項１０】
前記１つ以上の感知チャンネルの各々は、ホールセンサを備え、前記１つ以上の指示チャンネルの各々は、前記１つ以上の指示チャンネルの各々が指示する値に応じて磁石を備え、前記１つ以上の感知チャンネルの各々は、前記ホールセンサの感知結果に応じて、前記１つ以上の指示チャンネルの各々が指示する値を感知する、請求項５に記載の再接着式メモ紙を出力するプリンタシステム。
【請求項１１】
前記指示部は、前記カートリッジに収容された前記再接着式メモ紙の残量を感知し、前記プリンタは、前記感知部を利用して前記感知部が指示する前記再接着式メモ紙の残量に関する情報を取得する、請求項３に記載の再接着式メモ紙を出力するプリンタシステム。
【請求項１２】
前記プリンタは、前記カートリッジの重さを測定できる手段を備え、測定された前記カートリッジの重さを利用して前記カートリッジに収容された前記再接着式メモ紙の残量を推定する、請求項２に記載の再接着式メモ紙を出力するプリンタシステム。
【請求項１３】
前記再接着式メモ紙は、
一側面に再接着可能な粘着部が備えられたロール形態で構成され、前記プリンタは、前記ロール形態の再接着式メモ紙を収容し、前記プリンタに取り付けられるカートリッジを含む、請求項１に記載の再接着式メモ紙を出力するプリンタシステム。
【請求項１４】
前記ブルートゥース探索名は、
前記プリンタの名称を示す名称フィールドと、前記プリンタに収容された再接着式メモ紙の色を示す色フィールドとにより構成される、請求項１に記載の再接着式メモ紙を出力するプリンタシステム。
【請求項１５】
前記プリンタは、
前記プリンタに収容された再接着式メモ紙が異なる色の再接着式メモ紙に取り替えられる場合、前記取り替えられた再接着式メモ紙の色を認識し、前記変更された再接着式メモ紙の色に応じて前記ブルートゥース探索名の色フィールドを変更する、請求項１４に記載の再接着式メモ紙を出力するプリンタシステム。
【請求項１６】
前記プリンタは、
前記プリンタに収容された再接着式メモ紙が異なる色の再接着式メモ紙に取り替えられる場合、前記ユーザクライアントとの連結を解除し、前記ユーザクライアントは、前記プリンタの名称フィールドを利用してブルートゥース探索を行い、前記プリンタと再び連結する、請求項１５に記載の再接着式メモ紙を出力するプリンタシステム。
【請求項１７】
前記ユーザクライアントは、
前記プリンタに収容された再接着式メモ紙が異なる色の再接着式メモ紙に取り替えられる場合、前記取り替えられた再接着式メモ紙の色に応じて、変更された前記プリンタのブルートゥース探索名を取得し、前記ユーザクライアントに保存された前記プリンタのブルートゥース探索名を前記取得したブルートゥース探索名に変更する、請求項１に記載の再接着式メモ紙を出力するプリンタシステム。
【請求項１８】
前記プリンタは、
前記プリンタの外側に前記認識された再接着式メモ紙の色を表示するための表示部と、
前記プリンタの内側に前記認識された再接着式メモ紙の色を表示するための照明装置と、をさらに含み、
前記プリンタのハウジングは、前記照明装置の明りが透過可能な材質により構成され、前記プリンタの色は、前記認識された再接着式メモ紙の色に応じて変更されることを特徴とする、請求項１に記載の再接着式メモ紙を出力するプリンタシステム。
【発明の詳細な説明】
【技術分野】
【０００１】
本発明は、再接着式メモ紙を出力するプリンタシステムに関する。
【背景技術】
【０００２】
日常生活や学業又は業務遂行において、重要な内容を憶えるために、繰り返し貼ったり剥がしたりすることのできる接着性のある再接着式メモ紙を使用することがある。
【０００３】
従来は、ユーザが接着性のあるメモ紙に所望の内容を直接筆記する方式で再接着式メモ紙を使用していた。この場合、筆記で表現し難いイメージ、表、グラフ、記号、図形、及び写真などのコンテンツは、再接着式メモ紙に記録することが難しいという問題があった。
【０００４】
最近は、スマートフォンなどのスマート機器を利用して筆記したり、チャットルームを利用して会議を行うなど、従来の業務環境に比べるとより様々な手段が利用されている。しかし、自由な意見交換や表現の多様性のために、オフラインを通じた業務処理及び会議進行方式も依然として好まれている。
【０００５】
そこで、スマート機器と連動可能なプリンタ装置を利用して、スマート機器の便宜性及びオフラインの自律性を同時に提供できるシステムの開発が求められている。
【先行技術文献】
【特許文献】
【０００６】
【特許文献１】韓国公開特許第１０−２０１６−００９４２５２号公報
【発明の概要】
【発明が解決しようとする課題】
【０００７】
本発明が解決しようとする課題は、再接着式メモ紙を出力するプリンタシステムを提供することである。
【０００８】
本発明が解決しようとする課題は、上記したような課題に限定されるものではなく、言及されていない他の課題は、以下の記載から通常の技術者にとって明確に理解できるはずである。
【課題を解決するための手段】
【０００９】
再接着式メモ紙を出力するプリンタ及びプリンタシステムにおいて、プリンタに収容された再接着式メモ紙の色を示す色フィールドを含むブルートゥース（登録商標）探索名を有し、前記プリンタに収容された再接着式メモ紙の色を認識し、前記認識された色が前記ブルートゥース探索名の色フィールドが指示する色と異なる場合、前記認識された色に応じて前記ブルートゥース探索名の色フィールドを変更する、前記プリンタと、ブルートゥースを利用して前記プリンタとペアリングできるユーザクライアントと、を含み、１つ以上のプリンタに収容された再接着式メモ紙の色は、前記ユーザクライアントにおいて、ブルートゥース探索を通じてペアリング可能な前記１つ以上のプリンタのブルートゥース探索名を取得し、前記取得した１つ以上のプリンタのブルートゥース探索名の色フィールドを通じて前記１つ以上のプリンタに収容された再接着式メモ紙の色を取得することによって表示され、前記表示された色のうち１つに対する選択の入力が発生することにより、前記選択された色に対応するブルートゥース探索名の色フィールドを有したブルートゥースプリンタが前記ユーザクライアントとペアリングを行う。
【００１０】
また、前記再接着式メモ紙を収容し、前記プリンタに締結されるカートリッジを含み、前記カートリッジは、前記カートリッジに収容された前記再接着式メモ紙に対して予め定義された色情報を指示する指示部を含む。
【００１１】
また、前記プリンタは、前記カートリッジに含まれた前記指示部にマッチングされ、前記指示部が指示する前記再接着式メモ紙の色情報を感知するための感知部を含む。
【００１２】
また、前記プリンタは、前記感知部を利用して感知された前記再接着式メモ紙の色情報と前記ブルートゥース探索名の色フィールドが指示する色とが異なる場合、前記感知された色情報に応じて前記ブルートゥース探索名の色情報を変更する。
【００１３】
また、前記再接着式メモ紙の色情報は、予め定義された値に表現され、前記指示部は、前記値を表現するための１つ以上の指示チャンネルを含み、前記感知部は、前記１つ以上の指示チャンネルにマッチングされ、前記１つ以上の指示チャンネルの各々が表現する値を感知する１つ以上の感知チャンネルを含み、前記プリンタは、前記１つ以上の感知チャンネルを利用して前記色情報を表現する値を取得し、前記取得した値から前記再接着式メモ紙の色情報を取得する。
【００１４】
また、前記再接着式メモ紙の色情報は、予め定義された２進数にて表現され、前記１つ以上の指示チャンネルの各々は、前記２進数の各桁数を表現する０又は１を指示する。
【００１５】
また、前記１つ以上の感知チャンネルの各々は、発光ダイオードとフォトトランジスタとを含むフォトインタラプタにより構成され、前記１つ以上の指示チャンネルの各々は、前記１つ以上の指示チャンネルの各々が指示する値に応じて前記フォトトランジスタの受光を遮断できる手段を備え、前記１つ以上の感知チャンネルの各々は、前記フォトトランジスタの受光有無に応じて、前記１つ以上の指示チャンネルの各々が指示する値を感知する。
【００１６】
また、前記１つ以上の指示チャンネルの各々は、前記１つ以上の指示チャンネルの各々が指示する値に応じて異なる抵抗を有する抵抗素子を備え、前記１つ以上の感知チャンネルの各々は、前記指示チャンネルの各々に備えられた抵抗素子の抵抗を測定できる手段を備え、前記指示チャンネルの各々において測定された抵抗の大きさに応じて、前記１つ以上の指示チャンネルの各々が指示する値を感知する。
【００１７】
また、前記１つ以上の指示チャンネルの各々は、前記１つ以上の指示チャンネルの各々が指示する値に応じて異なる電流を流すことができる手段を備え、前記１つ以上の感知チャンネルの各々は、前記指示チャンネルの各々の電流を測定できる手段を備え、前記指示チャンネルの各々において測定された電流の大きさに応じて、前記１つ以上の指示チャンネルの各々が指示する値を感知する。
【００１８】
また、前記１つ以上の感知チャンネルの各々は、ホールセンサを備え、前記１つ以上の指示チャンネルの各々は、前記１つ以上の指示チャンネルの各々が指示する値に応じて磁石を備え、前記１つ以上の感知チャンネルの各々は、前記ホールセンサの感知結果に応じて、前記１つ以上の指示チャンネルの各々が指示する値を感知する。
【００１９】
また、前記指示部は、前記カートリッジに収容された前記再接着式メモ紙の残量を指示し、前記プリンタは、前記感知部を利用して前記感知部が指示する前記再接着式メモ紙の残量に関する情報を取得する。
【００２０】
また、前記プリンタは、前記カートリッジの重さを測定できる手段を備え、測定された前記カートリッジの重さを利用して前記カートリッジに収容された前記再接着式メモ紙の残量を推定する。
【００２１】
また、前記再接着式メモ紙は、一側面に再接着可能な粘着部が備えられたロール形態で構成され、前記システムは、前記ロール形態の再接着式メモ紙を収容し、前記プリンタに取り付けられるカートリッジを含む。
【００２２】
また、前記ブルートゥース探索名は、前記プリンタの名称を示す名称フィールドと、前記プリンタに収容された再接着式メモ紙の色を示す色フィールドとにより構成される。
【００２３】
また、前記プリンタは、前記プリンタに収容された再接着式メモ紙が異なる色の再接着式メモ紙に取り替えられる場合、前記取り替えられた再接着式メモ紙の色を認識し、前記変更された再接着式メモ紙の色に応じて前記ブルートゥース探索名の色フィールドを変更する。
【００２４】
また、前記プリンタは、前記プリンタに収容された再接着式メモ紙が異なる色の再接着式メモ紙に取り替えられる場合、前記ユーザクライアントとの連結を解除し、前記ユーザクライアントは、前記プリンタの名称フィールドを利用してブルートゥース探索を行い、前記プリンタと再び連結する。
【００２５】
また、前記ユーザクライアントは、前記プリンタに収容された再接着式メモ紙が異なる色の再接着式メモ紙に取り替えられる場合、前記取り替えられた再接着式メモ紙の色に応じて、変更された前記プリンタのブルートゥース探索名を取得し、前記ユーザクライアントに保存された前記プリンタのブルートゥース探索名を前記取得したブルートゥース探索名に変更する。
【００２６】
また、前記プリンタは、前記プリンタの外側に前記認識された再接着式メモ紙の色を表示するための表示部と、前記プリンタの内側に前記認識された再接着式メモ紙の色を表示するための照明装置と、をさらに含み、前記プリンタのハウジングは、前記照明装置の明りが透過可能な材質により構成され、前記プリンタの色は、前記認識された再接着式メモ紙の色に応じて変更される。
【００２７】
上述した課題を解決するための本発明の他の一面に係る再接着式メモ紙を出力するプリンタは、前記再接着式メモ紙を収容し、前記プリンタと締結され、前記収容された再接着式メモ紙に対して予め定義された色情報を指示する指示部を含むカートリッジと、前記カートリッジに含まれた前記指示部にマッチングされ、前記指示部が指示する前記再接着式メモ紙の色情報を感知するための感知部と、を含み、ブルートゥースを利用してユーザクライアントと連結され、内部に収容された再接着式メモ紙の色を認識し、前記認識された再接着式メモ紙の色に応じてブルートゥース探索名が変更される。
【００２８】
上述した課題を解決するための本発明の他の一面に係る再接着式メモ紙を出力するプリンタシステムは、再接着式メモ紙を出力するプリンタと、前記再接着式メモ紙を収容し、前記プリンタと締結されるカートリッジと、を含み、前記カートリッジは、前記カートリッジに収容された前記再接着式メモ紙に対して予め定義された色情報又は前記カートリッジに収容された前記再接着式メモ紙の残量を指示する指示部を含み、前記再接着式メモ紙の色情報又は前記再接着式メモ紙の残量は２進数にて表現され、前記指示部は、前記２進数の各桁数を指示するための１つ以上の指示チャンネルを含み、前記１つ以上の指示チャンネルの各々は０又は１を指示し、前記プリンタは、前記１つ以上の指示チャンネルの各々にマッチングされ、前記１つ以上の指示チャンネルの各々が指示する前記２進数の各桁数を感知する１つ以上の感知チャンネルを含む感知部を含み、前記１つ以上の感知チャンネルを利用して前記再接着式メモ紙の色情報又は前記再接着式メモ紙の残量を表現する２進数を取得し、前記２進数から前記再接着式メモ紙の色情報を取得し、前記カートリッジの重さを測定できる手段を備え、前記再接着式メモ紙の残量を表現する２進数が取得できなかった場合、前記カートリッジの重さを測定し、前記測定されたカートリッジの重さを利用して前記カートリッジに収容された前記再接着式メモ紙の残量を推定する。
【００２９】
さらに、プリンタに収容された再接着式メモ紙の色を認識し、前記再接着式メモ紙の色に応じてブルートゥース探索名を設定し、前記ブルートゥース探索名は、前記プリンタの名称を示す名称フィールドと、前記プリンタに収容された前記再接着式メモ紙の色を示す色フィールドとにより構成され、前記プリンタに収容された前記再接着式メモ紙が異なる色の再接着式メモ紙に取り替えられる場合、前記取り替えられた再接着式メモ紙の色を認識し、前記取り替えられた再接着式メモ紙の色に応じて前記ブルートゥース探索名の色フィールドを変更する、前記プリンタ及びブルートゥースを利用してプリンタと連結可能であり、前記ブルートゥース探索名を利用して所定のプリンタと連結し、１つ以上の前記プリンタの各々のブルートゥース探索名に含まれた色フィールドを利用して前記１つ以上のプリンタの各々に収容された再接着式メモ紙の色に関する情報を取得し、前記１つ以上のプリンタの各々に収容された再接着式メモ紙の色を画面に表示し、ユーザから再接着式メモ紙の色を選択する選択の入力を受信し、前記１つ以上のプリンタの各々の色フィールドを利用して前記ユーザが選択した色の再接着式メモ紙を収容するプリンタを選択し、前記選択されたプリンタと連結され、前記連結されたプリンタが出力を行うようにするユーザクライアントを含む。
【００３０】
本発明のその他の具体的な事項は、詳細な説明及び図面に含まれている。
【発明の効果】
【００３１】
開示された実施例によれば、ペアリング前の段階では両方向通信が難かったブルートゥース４．０以前のクラシックブルートゥースを利用する場合も、プリンタから再接着式メモ紙の色に関する情報を取得することができるという効果がある。
【００３２】
従って、ユーザクライアント又はユーザが所望する色の再接着式メモ紙を収容するプリンタを容易に選択することができるという効果がある。
【００３３】
また、カートリッジに収容された再接着式メモ紙の色を感知できる様々な手段を提供することができるという効果がある。従って、ユーザは、所望する色の再接着式メモ紙を出力できるプリンタを容易に選択することができる。
【００３４】
さらに、カートリッジに収容された再接着式メモ紙の色を効率良く感知することができるので、１つのプリンタに対して様々な色の再接着式メモ紙を収容するカートリッジを取り替えながら使用することができる。ユーザは、カートリッジを直接開けてみることなく、プリンタに取り付けられたカートリッジに収容された再接着式メモ紙の色を確認することができる。
【００３５】
本発明の効果は、上記したような課題に限定されるものではなく、言及されていない他の効果は、以下の記載から通常の技術者にとって明確に理解できるはずである。
【図面の簡単な説明】
【００３６】
【図１】一実施例により、再接着式メモ紙を出力するプリンタシステムを示す図である。
【図２】一実施例により、ロール形態で構成された再接着式メモ紙を示す図である。
【図３】再接着式メモ紙を収容したカートリッジがプリンタに取り付けられる一例を示す図である。
【図４】一実施例に係る指示チャンネル及び感知チャンネルを示す図である。
【図５】一実施例に係る指示チャンネル及び感知チャンネルを示す図である。
【図６】一実施例に係る指示チャンネル及び感知チャンネルを示す図である。
【図７】一実施例に係る指示チャンネル及び感知チャンネルを示す図である。
【図８】一実施例により、プリンタが再接着式メモ紙の色情報を表示する方法を示す図である。
【図９】プリンタのブルートゥース探索名を変更する方法の一例を示す図である。
【図１０】ユーザクライアントにプリンタのブルートゥース探索名が表示される一例を示す図である。
【図１１】プリンタのブルートゥース探索名が変更される一例を示す図である。
【図１２】ユーザクライアントが色に基づいてプリンタを選択する一例を示す図である。
【図１３】ユーザクライアントに表示された編集領域に粘着部を表示する一例を示す図である。
【図１４】ユーザクライアントに表示された粘着部の位置を変更する一例を示す図である。
【図１５】粘着部の位置指示子が表示された方向に従ってプリンタが編集画面を出力する一例を示す図である。
【図１６】編集領域の大きさを変更し、プリンタが編集領域の大きさの変更に応じて再接着式メモ紙を出力する例を示す図である。
【図１７】編集領域の大きさを変更し、プリンタが編集領域の大きさの変更に応じて再接着式メモ紙を出力する例を示す図である。
【図１８】編集領域の大きさを変更し、プリンタが編集領域の大きさの変更に応じて再接着式メモ紙を出力する例を示す図である。
【図１９】編集領域の大きさを変更し、プリンタが編集領域の大きさの変更に応じて再接着式メモ紙を出力する例を示す図である。
【図２０】編集領域の大きさを変更し、プリンタが編集領域の大きさの変更に応じて再接着式メモ紙を出力する例を示す図である。
【図２１】一実施例により、プリンタを利用するチャットルームを生成する方法を示す図である。
【図２２】参加者クライアントがチャットルームに参加する方法の一例を示す図である。
【図２３】一実施例により、チャットルームを利用する方法を示す図である。
【図２４】チャットルームにアップロードされたテキスト又はイメージを出力する一例を示す図である。
【図２５】ホストクライアント及び参加者クライアントがチャットルームを利用する一例を示す図である。
【図２６】プリンタを利用して出力された再接着式メモ紙を利用して会議を進行する一例を示す図である。
【図２７】ユーザクライアントを利用して図２６に示された会議結果を撮影する一例を示す図である。
【図２８】ユーザクライアントの画面に表示された撮影画面において再接着式メモ紙が表示された部分を拡大した一例を示す図である。
【図２９】ユーザクライアントが再接着式メモ紙に表示されたイメージとサーバに保存されたイメージとを自動でマッチングできなかった場合の一例を示す図である。
【図３０】撮影された再接着式メモ紙を抽出してユーザクライアントの画面に表示する一例を示す図である。
【発明を実施するための形態】
【００３７】
本発明の利点及び特徴、並びにこれらを達成する方法は、添付される図面と共に詳しく後述する実施例を参照すれば明確になるはずである。しかし、本発明は、以下に開示される実施例に限定されるものではなく、互いに異なる様々な形態に具現されることができ、但し、本実施例は、本発明の開示を完全なるものにし、本発明が属する技術分野における通常の技術者に本発明の範疇を完全に知らせるために提供されるものであり、本発明は請求項の範疇により定義されるだけである。
【００３８】
本明細書で使用される用語は実施例を説明するためのものであり、本発明を限定するものではない。本明細書において、単数形は、文言で特に言及しない限り、複数形も含む。明細書で使用される「含む（ｃｏｍｐｒｉｓｅｓ）」及び／又は「含み（ｃｏｍｐｒｉｓｉｎｇ）」は、言及された構成要素の他に１つ以上の異なる構成要素の存在又は追加を排除するものではない。明細書全体に亘って同じ図面符号は同じ構成要素を指し、「及び／又は」は、言及された構成要素の各々及び１つ以上の全ての組み合わせを含む。たとえ「第１」、「第２」などが様々な構成要素を述べるために使用されているが、これらの構成要素がこれらの用語によって限定されないことは勿論である。これらの用語は単に一つの構成要素を他の構成要素と区別するために使用するものである。従って、以下で言及される第１の構成要素は、本発明の技術的思想内において第２の構成要素でもあり得ることは勿論である。
【００３９】
他の定義がなければ、本明細書において使用される全ての用語（技術的及び科学的な用語を含む）は、本発明の属する技術分野における通常の技術者にとって共通して理解できる意味で使用され得るはずである。また、一般的に使用される辞書に定義されている用語は、特に明白に定義されていない限り、理想的に又は過度に解釈されてはならない。
【００４０】
本明細書において、プリンタは、ユーザクライアントと連結されて利用される。ユーザクライアントは、モバイル端末及びパーソナルコンピュータを含むが、これに限定されるものではない。
【００４１】
プリンタは、ユーザクライアントとブルートゥース、ＷｉＦｉ又は３Ｇ、ＬＴＥのようなネットワーク通信網を利用して無線で連結されることができる。また、プリンタは、ユーザクライアントとＵＳＢ、５ピン、８ピン、又はＣタイプのケーブルなどを利用して有線で連結されることもできる。プリンタとユーザクライアントとが連結されるための方法は特に制限されないが、説明の便宜性のために、開示された実施例は、プリンタとユーザクライアントとがブルートゥースを利用して連結されると仮定する。
【００４２】
図１は、一実施例により、再接着式メモ紙を出力するプリンタシステムを示す図である。図１を参照すると、プリンタ１００及びユーザクライアント２００が示されている。
【００４３】
プリンタ１００は、再接着式メモ紙３００を出力する。再接着式メモ紙３００は、一側面に再接着可能な粘着部３１０が備えられる。
【００４４】
再接着式メモ紙３００において、イメージ又はテキストが出力される面と、一側面に再接着可能な粘着部３１０が備えられる面とは異なっている。即ち、図１に示された再接着式メモ紙３００において、一側面に備えられる再接着可能な粘着部３１０は、図１に示された再接着式メモ紙３００の背面に備えられる。
【００４５】
本明細書においては、説明の便宜性のために、再接着式メモ紙３００の背面に備えられた再接着可能な粘着部３１０を再接着式メモ紙３００の前面に示したが、これは再接着可能な粘着部３１０の位置を示すためだけのものであり、実際に再接着可能な粘着部３１０が再接着式メモ紙３００の前面に備えられるわけではない。
【００４６】
ユーザクライアント２００は、ブルートゥースを利用してプリンタ１００とペアリングされる。ユーザクライアント２００には、プリンタ１００で印刷されるイメージに関する編集画面２１０が表示され得る。編集画面２１０は、プリンタ１００で印刷されるイメージ又はテキストを編集するためのインターフェースを含み得る。
【００４７】
ユーザクライアント２００は、編集画面２１０に表示されたイメージをプリンタ１００に送信することができる。プリンタ１００は、送信されたイメージを印刷して出力することができる。
【００４８】
一実施例において、再接着式メモ紙３００は、一側面に再接着可能な粘着部３１０が備えられたロール形態で構成され得る。図２を参照すると、一実施例により、ロール形態で構成された再接着式メモ紙３００が示されている。
【００４９】
図２に示されたロール形態で構成された再接着式メモ紙３００は、カートリッジに収容されてプリンタ１００に取り付けられる。図３を参照すると、再接着式メモ紙３００を収容したカートリッジ４００がプリンタ１００に取り付けられる一例が示されている。
【００５０】
一実施例において、カートリッジ４００には、カートリッジ４００に収容された再接着式メモ紙３００に対して予め定義された色情報を指示する指示部４１０が備えられ得る。カートリッジ４００の指示部４１０は、カートリッジ４００に収容された再接着式メモ紙３００の色情報を指示するための１つ以上の指示チャンネルを含む。
【００５１】
一実施例において、再接着式メモ紙３００の色情報は、予め定義された値にて表現される。例えば、１番は白、２番は黄色、３番は緑などのように定義される。指示部４１０は、予め定義された値を表現するための１つ以上の指示チャンネルを含む。
【００５２】
また、プリンタ１００のカートリッジ収容部１１０には、カートリッジ４００の指示部４１０が指示する再接着式メモ紙３００の色情報を感知するための感知部１２０が備えられ得る。
【００５３】
プリンタ１００の感知部１２０は、指示部４１０に含まれた１つ以上の指示チャンネルの各々にマッチングされ、指示部４１０に含まれた１つ以上の指示チャンネルの各々が指示する再接着式メモ紙３００の色情報を感知するための１つ以上の感知チャンネルを含む。
【００５４】
図４乃至図７は、一実施例に係る指示チャンネル及び感知チャンネルを示す図である。
【００５５】
一実施例において、カートリッジ４００の指示部４１０は、１つ以上の指示チャンネル４１２乃至４１８を含む。また、プリンタ１００の感知部１２０は、１つ以上の感知チャンネル１２２乃至１２８を含む。
【００５６】
図４乃至図７に示された指示チャンネル及び感知チャンネルの数及び形態は、例示のために提供されたものであり、指示部４１０に含まれ得る指示チャンネルの数、感知部１２０に含まれ得る感知チャンネルの数、及び指示チャンネルと感知チャンネルの各々の形態は限定されるものではない。
【００５７】
一実施例において、再接着式メモ紙３００の色情報は、２進数にて表現され得る。カートリッジ４００の指示部４１０に含まれた１つ以上の指示チャンネル４１２乃至４１８の各々は、再接着式メモ紙３００の色情報を表現する２進数の各桁数である０又は１を指示することができる。
【００５８】
プリンタ１００の感知部１２０に含まれた１つ以上の感知チャンネルの各々は、カートリッジ４００の指示部４１０に含まれた１つ以上の指示チャンネル４１２乃至４１８の各々が指示する再接着式メモ紙３００の色情報を表現する２進数の各桁数を感知することができる。
【００５９】
プリンタ１００の感知部１２０は、１つ以上の感知チャンネル１２２乃至１２８を利用してカートリッジ４００の指示部４１０に含まれた１つ以上の指示チャンネル４１２乃至４１８が指示する再接着式メモ紙３００の色情報を表現する２進数を取得することができる。プリンタ１００は、取得した２進数からカートリッジ４００に収容された再接着式メモ紙３００の色情報を取得することができる。
【００６０】
再接着式メモ紙３００の色情報は数字で表現され得る。例えば、１番は白、２番は黄色、３番は緑などと表現される。また、それぞれの数字は２進数に変換され得る。図４乃至図７によると、再接着式メモ紙３００の色情報は４桁の２進数にて表現される。この場合、白は０００１、黄色は００１０、緑は００１１などと表現される。
【００６１】
それぞれの色情報を数字で表現する方法及び各数字の桁数に関する内容は、例示のために提供されただけであり、本明細書に開示された例示に限定されるものではない。
【００６２】
一実施例において、カートリッジ４００の指示部４１０及びプリンタ１００の感知部１２０は、フォトインタラプタを利用することができる。
【００６３】
図４を参照すると、感知部１２０の１つ以上の感知チャンネル１２２乃至１２８の各々は、発光ダイオードとフォトトランジスタを含むフォトインタラプタにより構成される。フォトインタラプタは、発光ダイオードの光がフォトトランジスタに受光されるか否かを感知することができる。
【００６４】
指示部４１０の１つ以上の指示チャンネル４１２乃至４１８の各々は、１つ以上の指示チャンネル４１２乃至４１８の各々が指示する数字に従い、１つ以上の感知チャンネル１２２乃至１２８の各々に備えられたフォトトランジスタの受光を遮断できる手段を備えることができる。
【００６５】
例えば、１つ以上の指示チャンネル４１２乃至４１８の各々は、指示する数字が１であれば、フォトトランジスタの受光を遮断できる手段を備え、指示する数字が０であれば、フォトトランジスタの受光を遮断できる手段を備えない。
【００６６】
フォトトランジスタの受光を遮断できる手段は、フォトインタラプタの発光ダイオードとフォトトランジスタの間に挿入され、発光ダイオードの光を遮断できる突出部により構成され得るが、その構成及び形態は限定されるものではない。
【００６７】
一実施例において、突出部は、カートリッジ４００が生産される際に形成され、その形態が変更されないこともあり得る。
【００６８】
他の実施例において、突出部は、カートリッジ４００に挿入及び射出されるように構成され得る。従って、突出部は、カートリッジ４００に収容された再接着式メモ紙３００の色情報によりその形態が変更され得る。例えば、ユーザは、カートリッジ４００に収容された再接着式メモ紙３００を取り替えることができる。
【００６９】
カートリッジ４００に収容された再接着式メモ紙３００が異なる色の再接着式メモ紙に取り替えられる場合、ユーザは、突出部が挿入又は射出されるようにして、カートリッジ４００の指示部４１０が指示する色情報を取り替えられた再接着式メモ紙の色情報に変更することができる。
【００７０】
一実施例において、カートリッジ４００は、色を感知できるセンサを利用してカートリッジ４００に収容された再接着式メモ紙の色を感知し、感知された色情報を表現できるように各指示チャンネルの突出部を挿入又は射出することができる。
【００７１】
感知部１２０の１つ以上の感知チャンネル１２２乃至１２８の各々は、１つ以上の感知チャンネル１２２乃至１２８の各々に備えられたフォトトランジスタの受光有無に応じて１つ以上の指示チャンネル４１２乃至４１８の各々が指示する数字を感知することができる。
【００７２】
図４には、感知部１２０が指示部４１０から２進数１０１０を取得する例が示されている。
【００７３】
一実施例において、カートリッジ４００の指示部４１０及びプリンタ１００の感知部１２０は、抵抗素子を利用することができる。
【００７４】
図５を参照すると、感知部１２０の１つ以上の感知チャンネル１２２乃至１２８の各々は、抵抗を測定できる手段を備える。例えば、感知部１２０の１つ以上の感知チャンネル１２２乃至１２８の各々は、所定の電圧又は電流を加えることのできる手段及び電圧又は電流を測定することのできる手段を備える。
【００７５】
指示部４１０の１つ以上の指示チャンネル４１２乃至４１８の各々は、１つ以上の指示チャンネル４１２乃至４１８の各々が指示する数字に応じて異なる抵抗を有する抵抗素子を備えることができる。一実施例において、指示部４１０の１つ以上の指示チャンネル４１２乃至４１８の各々は、１つ以上の指示チャンネル４１２乃至４１８の各々が指示する数字に応じて抵抗素子の具備有無が決定することができる。
【００７６】
例えば、１つ以上の指示チャンネル４１２乃至４１８の各々は、指示する数字が１であれば抵抗素子を備え、指示する数字が０であれば抵抗素子を備えない。
【００７７】
また、１つ以上の指示チャンネル４１２乃至４１８の各々と１つ以上の感知チャンネル１２２乃至１２８の各々とは、相互接触可能な一対の電極を含み得る。
【００７８】
抵抗が備えられていない指示チャンネルの一対の電極は、互いに短絡していても良く、抵抗なしに電線のようなその他の導電体で連結されていても良い。
【００７９】
１つ以上の感知チャンネル１２２乃至１２８の各々は、相互接触された一対の電極を利用して抵抗を測定することができる。感知部１２０は、１つ以上の感知チャンネル１２２乃至１２８が感知した抵抗に応じて１つ以上の指示チャンネル４１２乃至４１８の各々が指示する数字を感知することができる。
【００８０】
図５には、感知部１２０が指示部４１０から２進数１０１０を取得する例が示されている。
【００８１】
一実施例において、カートリッジ４００の指示部４１０及びプリンタ１００の感知部１２０は、電流を利用することができる。
【００８２】
図５を参照すると、感知部１２０の１つ以上の感知チャンネル１２２乃至１２８の各々は、電流を感知できる手段を備える。一実施例において、感知部１２０の１つ以上の感知チャンネル１２２乃至１２８の各々は、電流の強さを測定できる手段を備えることもできる。
【００８３】
指示部４１０の１つ以上の指示チャンネル４１２乃至４１８の各々は、１つ以上の指示チャンネル４１２乃至４１８の各々が指示する数字に応じて異なる電流を流せる手段を備えることができる。一実施例において、指示部４１０の１つ以上の指示チャンネル４１２乃至４１８の各々は、１つ以上の指示チャンネル４１２乃至４１８の各々が指示する数字に従って電流を流したり、電流を流さないように設定されることもできる。
【００８４】
例えば、１つ以上の指示チャンネル４１２乃至４１８の各々は、指示する数字が１であれば電流を流し、指示する数字が０であれば電流を流さない。
【００８５】
また、１つ以上の指示チャンネル４１２乃至４１８の各々と１つ以上の感知チャンネル１２２乃至１２８の各々とは、相互接触できる電極を含み得る。
【００８６】
１つ以上の感知チャンネル１２２乃至１２８の各々は、相互接触された電極を利用して電流を感知したり、電流の強さを測定することができる。感知部１２０は、１つ以上の感知チャンネル１２２乃至１２８が感知した電流に応じて１つ以上の指示チャンネル４１２乃至４１８の各々が指示する数字を感知することができる。
【００８７】
図６には、感知部１２０が指示部４１０から２進数１０１０を取得する例が示されている。
【００８８】
一実施例において、カートリッジ４００の指示部４１０及びプリンタ１００の感知部１２０は、ホールセンサと磁石を利用することができる。
【００８９】
図７を参照すると、感知部１２０の１つ以上の感知チャンネル１２２乃至１２８の各々は、ホールセンサを含む。
【００９０】
指示部４１０の１つ以上の指示チャンネル４１２乃至４１８の各々は、１つ以上の指示チャンネル４１２乃至４１８の各々が指示する数字に応じて磁石を備えることができる。
【００９１】
例えば、１つ以上の指示チャンネル４１２乃至４１８の各々は、指示する数字が１であればフォトトランジスタの磁石を備え、指示する数字が０であれば磁石を備えない。
【００９２】
感知部１２０の１つ以上の感知チャンネル１２２乃至１２８の各々は、ホールセンサを利用して１つ以上の指示チャンネル４１２乃至４１８の各々が指示する数字を感知することができる。
【００９３】
ホールセンサを利用する場合、感知部１２０と指示部４１０が物理的に接触しなくても良いという長所がある。
【００９４】
図７には、感知部１２０が指示部４１０から２進数１０１０を取得する例が示されている。
【００９５】
カートリッジ４００の指示部４１０及びプリンタ１００の感知部１２０は、その他の様々な方法を利用して再接着式メモ紙３００の色情報を指示することができる。
【００９６】
例えば、感知部１２０の１つ以上の感知チャンネル１２２乃至１２８の各々は、機械式スイッチを含む。
【００９７】
指示部４１０の１つ以上の指示チャンネル４１２乃至４１８の各々は、１つ以上の指示チャンネル４１２乃至４１８の各々が指示する数字に応じて感知チャンネルに含まれた機械式スイッチを押すことのできる突出部を備えることができる。
【００９８】
例えば、１つ以上の指示チャンネル４１２乃至４１８の各々は、指示する数字が１であれば突出部を備え、指示する数字が０であれば突出部を備えない。
【００９９】
感知部１２０の１つ以上の感知チャンネル１２２乃至１２８の各々は、機械式スイッチを利用して１つ以上の指示チャンネル４１２乃至４１８の各々が指示する数字を感知することができる。
【０１００】
他の実施例において、再接着式メモ紙３００の色情報は、他の形態に表現され得る。例えば、再接着式メモ紙３００の色情報は、４進数、１０進数、又は１６進数にて表現されることもできる。カートリッジ４００の指示部４１０に含まれた１つ以上の指示チャンネル４１２乃至４１８の各々は、再接着式メモ紙３００の色情報を表現する４進数、１０進数、又は１６進数の各桁数を指示することができる。
【０１０１】
プリンタ１００の感知部１２０に含まれた１つ以上の感知チャンネルの各々は、カートリッジ４００の指示部４１０に含まれた１つ以上の指示チャンネル４１２乃至４１８の各々が指示する再接着式メモ紙３００の色情報を表現する４進数、１０進数、又は１６進数の各桁数を感知することができる。
【０１０２】
例えば、１つ以上の指示チャンネル４１２乃至４１８の各々は、指示チャンネル４１２乃至４１８の各々が流す電流の大きさ、指示チャンネル４１２乃至４１８の各々の抵抗の強さ、又は指示チャンネル４１２乃至４１８の各々に含まれた磁石の磁力などに基づき、４進数、１０進数、又は１６進数の各桁数を指示する。
【０１０３】
プリンタ１００の感知部１２０に含まれた１つ以上の感知チャンネルの各々は、１つ以上の指示チャンネル４１２乃至４１８の各々から再接着式メモ紙３００の色情報を取得することができる。
【０１０４】
また、プリンタ１００は、カートリッジ４００から再接着式メモ紙３００の残量に関する情報を受信することができる。例えば、カートリッジ４００は、収容された再接着式メモ紙３００の残量に関する情報を１つ以上の指示チャンネル４１２乃至４１８の各々が指示するように設定される。
【０１０５】
例えば、１つ以上の指示チャンネル４１２乃至４１８の一部は、再接着式メモ紙３００の色情報を指示し、残りの一部は、再接着式メモ紙３００の残量に関する情報を指示する。他の例として、１つ以上の指示チャンネル４１２乃至４１８の各々は、再接着式メモ紙３００の色情報と残量に関する情報が組み合わせられた２進数、４進数、１０進数、又は１６進数の各桁数を指示することもできる。
【０１０６】
他の実施例として、プリンタ１００は、カートリッジ収容部１１０に収容されたカートリッジ４００の重さを測定できる手段を備えることができる。プリンタ１００は、カートリッジ４００の重さに基づき、カートリッジ４００に収容された再接着式メモ紙３００の残量を推定することができる。
【０１０７】
一実施例において、プリンタ１００は、認識された再接着式メモ紙３００の色情報を表示するための表示部を含み得る。
【０１０８】
図８は、一実施例により、プリンタが再接着式メモ紙の色情報を表示する方法を示す図である。
【０１０９】
一実施例において、プリンタ１００は、認識された再接着式メモ紙３００の色情報を表示するためのＬＥＤ表示部１３０をプリンタ１００の外側に備えることができる。例えば、ＬＥＤ表示部１３０は、白、黄色、及び緑のＬＥＤを含み、認識された再接着式メモ紙３００の色情報に対応するＬＥＤを点灯する。
【０１１０】
他の実施例において、ＬＥＤ表示部１３０は、様々な色を表示できる照明装置により構成され得る。ＬＥＤ表示部１３０は、認識された再接着式メモ紙３００の色情報に対応する色を表示することができる。
【０１１１】
一実施例において、プリンタ１００は、認識された再接着式メモ紙３００の色情報を表示するためのディスプレイ１４０を含み得る。ディスプレイ１４０は、認識された再接着式メモ紙３００の色情報に対応する色を表示することができる。また、ディスプレイ１４０は、認識された再接着式メモ紙３００の色をテキストにて表示することもできる。
【０１１２】
一実施例において、プリンタ１００の内側に認識された再接着式メモ紙３００の色を表示できる照明装置１５０が備えられ得る。また、プリンタ１００のハウジングは、照明装置１５０の明りが透過可能な材質により構成され得る。例えば、プリンタ１００のハウジングは、不透明であるものの照明装置１５０の明りが透過可能な白いプラスチック材質により構成される。
【０１１３】
従って、プリンタ１００のハウジングを通じて見える外観自体が認識された再接着式メモ紙３００の色に変更されることができる。
【０１１４】
図９は、プリンタのブルートゥース探索名を変更する方法の一例を示す図である。
【０１１５】
一実施例において、プリンタ１００は、出力用の再接着式メモ紙３００の色を認識し、認識された出力用再接着式メモ紙３００の色に応じてブルートゥース探索名を変更することができる。
【０１１６】
一実施例において、プリンタ１００のブルートゥース探索名は、プリンタ１００の名称を示す名称フィールド１０と、出力用の再接着式メモ紙３００の色を示す色フィールド２０と、により構成され得る。
【０１１７】
例えば、プリンタ１００の名前はｐｒｉｎｔｅｒ１である。ブルートゥース探索名の名称フィールド１０は、出力用の再接着式メモ紙３００の色変更により変更されるものではなく、プリンタ１００の探索に利用され得る。
【０１１８】
色フィールド２０は、プリンタ１００に収容された再接着式メモ紙３００の色を示すことができる。例えば、再接着式メモ紙３００の色が白であればＷ、黄色であればＹ、緑であればＧが表示される。しかし、色フィールド２０に再接着式メモ紙３００の色を示す方法は、これに限定されるものではない。
【０１１９】
図１０は、ユーザクライアントにプリンタのブルートゥース探索名が表示される一例を示す図である。
【０１２０】
図１０には、ユーザクライアント２００と３つのプリンタ１００、１０１、及び１０２が示されている。図１０に示された一例によると、３つのプリンタ１００、１０１、及び１０２の各々の名称はｐｒｉｎｔｅｒ１、ｐｒｉｎｔｅｒ２、及びｐｒｉｎｔｅｒ３である。
【０１２１】
また、ｐｒｉｎｔｅｒ１１００、ｐｒｉｎｔｅｒ２１０１、及びｐｒｉｎｔｅｒ３１０２の各々には白、黄色、及び緑の再接着式メモ紙３００が収容されている。
【０１２２】
従って、ｐｒｉｎｔｅｒ１１００のブルートゥース探索名はｐｒｉｎｔｅｒ１＿Ｗ、ｐｒｉｎｔｅｒ２１０１のブルートゥース探索名はｐｒｉｎｔｅｒ２＿Ｙであり、ｐｒｉｎｔｅｒ３１０２のブルートゥース探索名はｐｒｉｎｔｅｒ３＿Ｇである。
【０１２３】
ユーザクライアント２００は、周辺に位置したブルートゥース機器を探索することができる。ユーザクライアント２００には、プリンタ１００乃至１０２の各々のブルートゥース探索名であるｐｒｉｎｔｅｒ１＿Ｗ、ｐｒｉｎｔｅｒ２＿Ｙ、及びｐｒｉｎｔｅｒ３＿Ｇが表示され得る。
【０１２４】
ユーザは、ユーザクライアント２００に表示されたブルートゥース探索名を見て所望する色の再接着式メモ紙を出力できるプリンタを選択することができる。
【０１２５】
一実施例において、ユーザクライアント２００は、プリンタ１００乃至１０２のペアリング情報を保存したり、ペアリングを行うことができる。ユーザクライアント２００は、プリンタ１００乃至１０２と同時にペアリングを行うこともできる。
【０１２６】
図１１は、プリンタのブルートゥース探索名が変更される一例を示す図である。
【０１２７】
一実施例において、プリンタ１０１に収容された再接着式メモ紙３００が取り替えられ得る。例えば、既存は黄色の再接着式メモ紙が収容されていて、赤の再接着式メモ紙に取り替えられる。
【０１２８】
プリンタ１０１は、取り替えられた再接着式メモ紙の色を認識し、ブルートゥース探索名の色フィールドを変更することができる。例えば、プリンタ１０１は、ブルートゥース探索名をｐｒｉｎｔｅｒ２＿Ｒに変更する。
【０１２９】
一実施例において、プリンタ１０１のブルートゥース探索名が変更されれば、ユーザクライアント２００は、変更されたプリンタ１０１のブルートゥース探索名を取得する。ユーザクライアント２００は、既存に保存されたプリンタ１０１のブルートゥース探索名を取得したブルートゥース探索名に変更することができる。
【０１３０】
他の実施例において、プリンタ１０１のブルートゥース探索名が変更されれば、プリンタ１０１は、ユーザクライアント２００との連結を解除することができる。ユーザクライアント２００は、プリンタ１０１の名称フィールドｐｒｉｎｔｅｒ２を利用して再びブルートゥース探索を行うことができる。プリンタ１０１のブルートゥース探索名が変更されても、プリンタ１０１のブルートゥース探索名の名称フィールドは変更されない。従って、ユーザクライアント２００はプリンタ１０１を見つけることができる。
【０１３１】
ユーザクライアント２００は、変更されたブルートゥース探索名を有するプリンタ１０１と再びペアリングを行うことができる。従って、ユーザクライアント２００に表示されたプリンタリストではｐｒｉｎｔｅｒ２＿Ｙが削除され、ｐｒｉｎｔｅｒ２＿Ｒが追加され得る。
【０１３２】
一実施例において、プリンタリストには、ペアリング情報が保存された全てのプリンタが表示され得る。また、プリンタリストには、現在ペアリングされているプリンタのみが表示され得る。
【０１３３】
プリンタリストに現在ペアリングされているプリンタのみが表示される場合、プリンタ１０１とのペアリングが解除されれば、ｐｒｉｎｔｅｒ２＿Ｙはリストから削除される。また、プリンタ１０１と再びペアリングする場合、ｐｒｉｎｔｅｒ２＿Ｒがリストに追加される。
【０１３４】
プリンタリストにペアリング情報が保存された全てのプリンタが表示される場合、プリンタ１０１とのペアリングが解除されてもｐｒｉｎｔｅｒ２＿Ｙがリストから削除されない。この場合、ペアリングが解除されれば、ペアリングが解除されたプリンタのブルートゥース探索名を削除するように設定することも可能であるが、この場合、再連結の際に再びペアリング情報を探索及び保存しなければならないという短所がある。
【０１３５】
従って、ユーザクライアント２００は、ペアリングの解除だけではプリンタリストからブルートゥース探索名を削除せず、後で同じ名称フィールドを有し、異なる色フィールドを有するプリンタ名が追加される場合、既存に保存されたプリンタ名を削除するように設定されることもできる。
【０１３６】
例えば、ｐｒｉｎｔｅｒ２＿Ｒが探索されてプリンタリストに追加される場合、ｐｒｉｎｔｅｒ２＿Ｙを削除することでユーザの混乱を防止する。
【０１３７】
図１２は、ユーザクライアントが色に基づいてプリンタを選択する一例を示す図である。
【０１３８】
一実施例において、ユーザクライアント２００には、プリンタで印刷するイメージに関する編集画面２１０が表示される。ユーザは、ユーザクライアント２００に表示された編集画面２１０を利用して、プリンタにおいて再接着式メモ紙に出力するイメージ又はテキストを作成することができる。ユーザクライアント２００が互いに異なる色の再接着式メモ紙を収容する複数のプリンタと連結されている場合、ユーザクライアント２００は、所望の色の再接着式メモ紙を収容するプリンタを選択することができる。
【０１３９】
一実施例において、ユーザは、図１０乃至図１１に示されたプリンタリストにおいて、各ブルートゥース探索名に含まれた色フィールドを利用して所望する色の再接着式メモ紙を出力できるプリンタを選択することができる。
【０１４０】
一実施例において、ユーザクライアント２００は、連結されたプリンタのブルートゥース探索名を取得することができる。ユーザクライアント２００は、各ブルートゥース探索名に含まれた色フィールドを利用し、ユーザクライアント２００と連結されたプリンタが出力できる再接着式メモ紙の色に関する情報を取得することができる。
【０１４１】
ユーザが編集画面２１０を出力しようとする場合、ユーザクライアント２００は、出力可能な色のリストを表示することができる。図１２を参照すると、ユーザクライアント２００には、白、黄色、及び緑の再接着式メモ紙を出力可能なプリンタが連結されている。
【０１４２】
従って、ユーザが編集画面２１０を出力しようとする場合、ユーザクライアントは、白、黄色、及び緑のうち１つを選択できる画面を表示することができる。
【０１４３】
ユーザが色を選択した場合、ユーザクライアント２００は、選択された色に対応するプリンタとの連結を行い、連結されたプリンタに編集画面を送信して出力することができる。
【０１４４】
例えば、図１２に示されたように、ユーザが黄色を選択すれば、ユーザクライアント２００は、ブルートゥース探索名の色フィールドに『Ｙ』が含まれたプリンタ１０１を選択する。ユーザクライアント２００は、編集画面をプリンタ１０１に送信して出力する。
【０１４５】
一実施例において、ユーザクライアント２００は、プリンタ１００乃至１０２の各々と常にペアリングされていなくても良い。例えば、ユーザクライアント２００は、各々のプリンタに対するペアリング情報を保存する。
【０１４６】
ユーザクライアント２００は、編集画面を出力しようとする場合、選択されたプリンタとのペアリングを行い、編集画面に関する情報及び出力に関する情報を送信することができる。情報の送信が完了すれば、ユーザクライアント２００はペアリングを終了することができる。
【０１４７】
従って、本明細書においてユーザクライアント２００とプリンタが「連結」されたと言うのは、必ずペアリングされた状態のみを意味するものではなく、ユーザクライアント２００が編集画面を出力しようとする場合にペアリングして情報を伝達できるよう、ペアリング情報を保存している状態を意味することもあり得る。
【０１４８】
図１３は、ユーザクライアントに表示された編集画面に粘着部を表示する一例を示す図である。
【０１４９】
一実施例において、ユーザクライアント２００に表示された編集画面２１０の一側又は他側に再接着可能な粘着部の位置を表示する粘着部の位置指示子２２０が表示され得る。
【０１５０】
ユーザクライアント２００は、粘着部の位置指示子２２０の位置に応じて印刷方向を決定する。編集画面２１０に表示された粘着部の位置指示子２２０は、編集画面２１０に含まれたイメージを印刷する際に粘着部が位置する方向を表示する。粘着部の位置指示子２２０の位置は、ユーザにより変更され得る。
【０１５１】
一実施例において、ユーザクライアント２００がプリンタ１００に編集画面２１０に関する情報を送信する際、粘着部の位置に関する情報が共に送信され得る。プリンタ１００は、編集画面２１０に表示された粘着部の位置指示子２２０の位置に応じて、編集画面２１０に含まれたイメージが印刷される方向を決定することができる。
【０１５２】
一実施例において、ユーザクライアント２００は、編集画面２１０に表示された粘着部の位置指示子２２０の位置に応じて、編集画面２１０に含まれたイメージが印刷される方向を決定することができる。プリンタ１００は、決定した印刷方向に従って編集画面２１０に含まれたイメージを印刷して出力することができる。
【０１５３】
図１４は、ユーザクライアントに表示された粘着部の位置を変更する一例を示す図である。
【０１５４】
一実施例において、ユーザクライアント２００は、ユーザのタッチ入力により、粘着部の位置指示子２２０を編集画面２１０の他側面に表示することができる。図１４を参照すると、他側面に表示された粘着部の位置指示子２３０が示されている。例えば、ユーザクライアント２００は、編集画面２１０に表示された粘着部の位置指示子２２０の第１の地点を所定時間以上タッチするタッチ入力を受信する場合、表示された粘着部の位置指示子２２０の位置を変更できる粘着部の位置変更モードに切り換えられることができる。
【０１５５】
例えば、編集画面２１０に表示された粘着部の位置指示子２２０が少し大きくなったり、小さくなったり、影の効果により粘着部の位置指示子２２０が離れたように表示され得る。また、ユーザクライアント２００は、短い振動によってモードの切り替えを知らせることができる。粘着部の位置変更モードに切り替えられる効果及び粘着部の位置変更モードに切り替えられたことを知らせるために利用される方法は、限定されるものではない。
【０１５６】
ユーザクライアント２００は、 粘着部の位置変更モードにおいて、ユーザが編集画面２１０に表示された粘着部の位置指示子２２０を第１の地点から編集画面２１０の左側の一側面の第２の地点までドラッグするタッチ入力を受信することができる。
【０１５７】
ユーザクライアント２００は、粘着部の位置指示子２２０がドラッグされた編集画面２１０の左側の一側面に粘着部の位置指示子２３０を表示することができる。
【０１５８】
同様に、粘着部の位置指示子２２０は、編集画面２１０の右側又は下側の一側面にも表示され得る。
【０１５９】
他の実施例において、ユーザクライアント２００は、ユーザクライアント２００の画面に表示された一領域に対するユーザのタッチ入力を受信することができる。ユーザクライアント２００は、ユーザのタッチ入力によって編集画面２１０に表示された粘着部の位置指示子２２０の方向を変更することができる。
【０１６０】
例えば、ユーザクライアント２００の画面には粘着部回転ボタンが表示される。粘着部回転ボタンに対するタッチ入力を受信する場合、ユーザクライアント２００は、編集画面２１０に表示された粘着部の位置指示子２２０の方向を時計回り又は反時計回りに変更することができる。
【０１６１】
ユーザクライアント２００は、変更された粘着部の位置指示子２３０の位置に応じて、編集画面２１０に含まれたイメージが印刷される方向を変更することができる。プリンタ１００は、変更された印刷方向に従って編集画面２１０に含まれたイメージを印刷し、出力することができる。
【０１６２】
図１５は、粘着部の位置指示子が表示された方向に従ってプリンタが編集画面を出力する一例を示す図である。
【０１６３】
図１３に示されたように、粘着部の位置指示子が編集画面２１０の上側に表示されている場合、プリンタ１００は、粘着部３１０が編集画面２１０に表示されたイメージの上に来るように再接着式メモ紙３００を出力することができる。
【０１６４】
図１４に示されたように、粘着部の位置指示子が編集画面２１０の左側に表示されている場合、プリンタ１００は、粘着部３１０が編集画面２１０に表示されたイメージの左側に来るように再接着式メモ紙３００を出力することができる。
【０１６５】
同様に、粘着部の位置指示子が編集画面２１０の下側に表示されている場合、プリンタ１００は、粘着部３１０が編集画面２１０に表示されたイメージの下に来るように再接着式メモ紙３００を出力することができる。
【０１６６】
また、粘着部の位置指示子が編集画面２１０の右側に表示されている場合、プリンタ１００は、粘着部３１０が編集画面２１０に表示されたイメージの右側に来るように再接着式メモ紙３００を出力することができる。
【０１６７】
一実施例において、ユーザクライアント２００は、編集画面２１０に表示された粘着部の位置指示子の位置に応じて編集画面２１０に表示されたイメージを回転し、プリンタ１００に伝達することができる。プリンタ１００は、回転されたイメージを受信し、出力することができる。
【０１６８】
他の実施例において、ユーザクライアント２００は、回転されていないイメージをプリンタ１００に伝達しながら、粘着部の方向に関する情報をプリンタ１００に共に伝達することができる。プリンタ１００は、粘着部の方向に関する情報に基づいてイメージが印刷される方向を決定し、イメージを回転して印刷することができる。
【０１６９】
図１６乃至図２０は、編集画面の大きさを変更し、プリンタが編集画面の大きさ変更に応じて再接着式メモ紙を出力する例を示す図である。
【０１７０】
一実施例において、プリンタ１００は、一側に粘着部が備えられたロール形態の再接着式メモ紙を出力し、ロール形態の再接着式メモ紙が出力される長さは、ユーザクライアント２００の画面に表示された編集画面２１０の長さに応じて変更され得る。
【０１７１】
図１６乃至図２０において、編集画面２１０の横及び縦方向は、粘着部の位置指示子２２０の位置を基準にして決定する。即ち、粘着部の位置指示子２２０が備えられた部分を上方と見なして、粘着部の位置指示子２２０と平行な方向を横方向、粘着部と垂直な方向を縦方向と称する。
【０１７２】
また、図１６乃至図２０において、プリンタ１００で出力される再接着式メモ紙３００も粘着部３１０を基準にして横及び縦方向が決定する。即ち、粘着部３１０が備えられた部分を上方と見なして、粘着部３１０と平行な方向を横方向、粘着部３１０と垂直な方向を縦方向と称する。
【０１７３】
また、図１６乃至図２０において、プリンタ１００で出力される編集画面２１０は「出力物」と称する。
【０１７４】
また、図１６乃至図２０において、「左右」及び「上下」方向は、図１６乃至図２０に示された方向を基準にして決定する。
【０１７５】
図１６を参照すると、ユーザクライアント２００は、編集画面２１０の右側の一側面の第１の地点をタッチし、右にドラッグした後、第２の地点でドロップするドラッグアンドドロップのタッチ入力を受信することができる。
【０１７６】
ユーザのドラッグアンドドロップのタッチ入力により、ユーザクライアント２００に表示された編集画面２１０の右側の角は、図１６で破線にて表示された第１の角から、第１の角よりも右側に位置し、図１６で実線にて表示された第２の角へ移動することができる。
【０１７７】
即ち、ユーザクライアント２００に表示された編集画面２１０の左右の長さが右方向に長くなることができる。編集画面２１０に表示された粘着部の位置指示子２２０も編集画面２１０と共に右方向に長くなることができる。
【０１７８】
一実施例において、図１６に示されたように、既存に編集画面２１０に位置したイメージは元のところに位置し、編集画面２１０が右方向に長くなることで生じた空間は空白になることができる。
【０１７９】
他の実施例において、既存に編集画面２１０に位置したイメージが右側の角と共に右側へ移動し、編集画面２１０の左側に空白が生成されることもできる。
【０１８０】
図１６を参照すると、プリンタ１００は、変更後の編集画面２１０の大きさ、即ち、変更後の編集画面２１０の長さに応じて再接着式メモ紙３００を出力することができる。
【０１８１】
図１６に示された動作の結果、編集画面２１０の横の長さが長くなったので、プリンタ１００は、編集画面２１０の横の長さが長くなった分、再接着式メモ紙３００をさらに長く出力することができる。
【０１８２】
プリンタ１００は、指定された長さに再接着式メモ紙３００が出力されれば、再接着式メモ紙３００をカットすることができる。一実施例において、プリンタ１００は、出力が完了すれば再接着式メモ紙３００を自動でカットすることができる。他の実施例において、プリンタ１００は、出力が完了しても、再接着式メモ紙３００を直ぐにカットせず、ユーザの入力がある際に再接着式メモ紙３００をカットすることができる。
【０１８３】
図１７を参照すると、ユーザクライアント２００は、編集画面２１０の右側の一側面の第１の地点をタッチし、左にドラッグした後、第２の地点でドロップするドラッグアンドドロップのタッチ入力を受信することができる。
【０１８４】
ユーザのドラッグアンドドロップのタッチ入力により、ユーザクライアント２００に表示された編集画面２１０の右側の角は、図１６で破線にて表示された第１の角から、第１の角よりも左側に位置し、図１６で実線にて表示された第２の角へ移動することができる。
【０１８５】
即ち、ユーザクライアント２００に表示された編集画面２１０の左右の長さは左方向に短くなることができる。編集画面２１０に表示された粘着部の位置指示子２２０も編集画面２１０と共に左方向に短くなることができる。
【０１８６】
一実施例において、既存に編集画面２１０に表示されたイメージは、編集画面２１０が短くなることに比例して縮小され得る。
【０１８７】
他の実施例において、既存に編集画面２１０に表示されたイメージは、編集画面２１０の左右の長さが短くなることとは関係なく同じ大きさで表示され得る。この場合、イメージの一部が入りきれないことがある。或いは、イメージの長さが変更後の編集画面２１０の長さよりも長く、イメージが入りきれない場合のみに、イメージが短くなった編集画面２１０に表示されるように縮小され得る。
【０１８８】
図１７を参照すると、プリンタ１００は、変更後の編集画面２１０の大きさ、即ち、変更後の編集画面２１０の長さに応じて再接着式メモ紙３００を出力することができる。
【０１８９】
図１７に示された動作の結果、編集画面２１０の横の長さが短くなったので、プリンタ１００は、編集画面２１０の横の長さが短くなった分、再接着式メモ紙３００をさらに短く出力することができる。
【０１９０】
図１８を参照すると、ユーザクライアント２００は、編集画面２１０の右側の一側面の第１の地点をタッチし、左にドラッグした後、第２の地点でドロップするドラッグアンドドロップのタッチ入力を受信することができる。
【０１９１】
ユーザのドラッグアンドドロップのタッチ入力により、ユーザクライアント２００に表示された編集画面２１０の右側の角は、図１６で破線にて表示された第１の角から、第１の角よりも左側に位置し、図１６で実線にて表示された第２の角へ移動することができる。
【０１９２】
即ち、ユーザクライアント２００に表示された編集画面２１０の左右の長さが左方向に短くなることができる。編集画面２１０に表示された粘着部の位置指示子２２０も編集画面２１０と共に左方向に短くなることができる。
【０１９３】
図１８によると、図１７とは異なり、粘着部の位置指示子２２０の位置が変更され得る。
【０１９４】
一実施例において、編集画面２１０の左右の長さが短くなることにより、粘着部の位置指示子２２０の位置が左側の一側面に変更され得る。粘着部の位置指示子２２０の位置を変更するか否かはユーザの選択により決定することができる。
【０１９５】
この場合、編集画面２１０に表示されたイメージも、ユーザクライアント２００の画面に表示された編集画面２１０の左右の長さが短くなることに比例して縮小され得る。しかし、再接着式メモ紙３００の縦の長さは変更できないので、実際にプリンタ１００で出力される出力物の左右の長さは変更されず、編集画面２１０に表示されたイメージが出力される大きさも変わらない。
【０１９６】
図１８を参照すると、プリンタ１００は、変更後の編集画面２１０の大きさ、即ち、変更後の編集画面２１０の長さに応じて再接着式メモ紙３００を出力することができる。
【０１９７】
ユーザクライアント２００に表示された編集画面２１０の左右の長さが短くなったが、編集画面２１０に表示された粘着部の位置指示子２２０が左側へ移動することによって、ユーザクライアント２００に表示された編集画面２１０の縦の長さが短くなる。しかし、再接着式メモ紙３００の縦の長さは固定されているので、ユーザクライアント２００の画面に相対的に長く表示された編集画面２１０の横の長さが長くなったと見ることができる。
【０１９８】
従って、プリンタ１００は、編集画面２１０の横の長さが長くなった分、再接着式メモ紙３００をさらに長く出力することができる。
【０１９９】
図１９を参照すると、ユーザクライアント２００は、編集画面２１０の下側の一側面の第１の地点をタッチし、下方にドラッグした後、第２の地点でドロップするドラッグアンドドロップのタッチ入力を受信することができる。
【０２００】
ユーザのドラッグアンドドロップのタッチ入力により、ユーザクライアント２００に表示された編集画面２１０の下側の角は、図１９で破線にて表示された第１の角から、第１の角よりも下側に位置し、図１９で実線にて表示された第２の角へ移動することができる。
【０２０１】
即ち、ユーザクライアント２００に表示された編集画面２１０の上下の長さは下方向に長くなることができる。
【０２０２】
一実施例において、粘着部の位置指示子２２０は、編集画面２１０の上側にそのまま位置することができる。しかし、再接着式メモ紙はロール形態で構成されるので、横には長く出力できるが、縦の長さは変わらない。
【０２０３】
従って、粘着部の位置指示子２２０が編集画面２１０の上側にそのまま位置する場合、ユーザクライアント２００に表示された編集画面２１０の大きさは大きくなったが、実際の出力物は、図１７に示されたように横の長さのみが短くなる。
【０２０４】
また、図１９に示された実施例のように、粘着部の位置指示子２２０の位置が左側の一側面に変更され得る。
【０２０５】
図１８に関して上述したように、粘着部の位置指示子２２０の位置を変更するか否かはユーザの選択により決定することができる。
【０２０６】
この場合、編集画面２１０の上下の長さが長くなることによって、編集画面２１０の横の長さが長くなる。
【０２０７】
一実施例において、図１９に示されたように、既存に編集画面２１０に位置したイメージは元のところに位置し、ユーザクライアント２００に表示された編集画面２１０の上下の長さが下方向に長くなることで生じた空間は空白になることができる。
【０２０８】
他の実施例において、既存にユーザクライアント２００に表示された編集画面２１０に位置したイメージが下側の角と共に下側へ移動し、編集画面２１０の上側に空白が生成されることもできる。
【０２０９】
図１９を参照すると、プリンタ１００は、変更後の編集画面２１０の大きさ、即ち、変更後の編集画面２１０の長さに応じて再接着式メモ紙３００を出力することができる。
【０２１０】
従って、プリンタ１００は、編集画面２１０の横の長さが長くなった分、再接着式メモ紙３００をさらに長く出力することができる。
【０２１１】
図２０を参照すると、ユーザクライアント２００は、編集画面２１０の下側の一側面の第１の地点をタッチし、上方にドラッグした後、第２の地点でドロップするドラッグアンドドロップのタッチ入力を受信することができる。
【０２１２】
ユーザのドラッグアンドドロップのタッチ入力により、ユーザクライアント２００に表示された編集画面２１０の下側の角は、図１９で破線にて表示された第１の角から、第１の角よりも上側に位置し、図１９で実線にて表示された第２の角へ移動することができる。
【０２１３】
即ち、ユーザクライアント２００に表示された編集画面２１０の上下の長さは上方向に短くなることができる。
【０２１４】
一実施例において、ユーザクライアント２００に表示された編集画面２１０の上下の長さが短くなることにより、編集画面２１０に表示されたイメージもユーザクライアント２００の画面に表示された編集画面２１０の上下の長さが短くなることに比例して縮小され得る。しかし、実際に出力される編集画面２１０の縦の長さは変更できないので、編集画面２１０に表示されたイメージが出力される大きさも変わらない。
【０２１５】
図２０に示されたように、ユーザクライアント２００に表示された編集画面２１０の縦の長さは短くなったが、プリンタ１００で実際に出力される再接着式メモ紙３００の縦の長さは短くならない。
【０２１６】
従って、ユーザクライアント２００に表示された編集画面２１０の横の長さが相対的に長くなる。従って、プリンタ１００で出力される出力物の長さも長くなる。
【０２１７】
図２０の編集画面２１０に示されたように、編集画面２１０の横の長さが縦の長さに比べて相対的に長くなることで編集画面２１０の右側の一側面に空白が生じ得る。他の実施例において、編集画面２１０に表示されたイメージが右側へ移動し、編集画面２１０の左側の一側面に空白が生じ得る。
【０２１８】
一実施例において、編集画面２１０に表示された粘着部の位置指示子２２０に対するユーザのタッチ入力により、粘着部の位置指示子２２０が編集画面２１０の左側の一側面に表示され得る。
【０２１９】
この場合、図１７に示されたように、編集画面２１０の横の長さが短くなる。従って、プリンタ１００で出力される出力物の長さも短くなる。プリンタ１００で出力されるイメージも出力物の横の長さが短くなることに比例して小さくなることができる。
【０２２０】
図１６乃至図２０に示された実施例において、ユーザクライアント２００に表示された編集画面２１０の倍率は固定されていても良く、自動で調整されても良い。
【０２２１】
例えば、ユーザクライアント２００に表示された編集画面２１０の倍率が固定されるモード、或いは自動で調整できるモードに設定される。
【０２２２】
例えば、編集画面２１０の横の長さが短くなる場合、編集画面２１０の倍率が固定されるモードに設定されていれば、図１７のように、実際の出力物の横の長さが共に短くなる。この場合、実際に出力されるイメージの大きさが小さくなる。
【０２２３】
それに対し、編集画面２１０の倍率が自動で調整できるモードに設定されていれば、図１８のように粘着部の位置が変更され、実際の出力物の横の長さは長くなることができる。この場合、実際に出力されるイメージの大きさは変わらない。
【０２２４】
図２１は、一実施例により、プリンタを利用するチャットルームを生成する方法を示す図である。
【０２２５】
図２１を参照すると、ユーザクライアント２００は、１つ以上のプリンタと連結され得る。
【０２２６】
ユーザクライアント２００は、チャットルームを生成することができる。本明細書において、チャットルームは、ネットワークを利用して１人以上のユーザクライアントがチャット及びデータのアップロードを行うことのできるメッセンジャーサービスを意味する。
【０２２７】
一実施例において、ユーザクライアント２００は、サーバにチャットルームの生成を要請することができる。サーバは、ユーザクライアント２００の要請に従ってチャットルームを生成することができる。
【０２２８】
本明細書において、チャットルームを生成したユーザクライアント２００をホストクライアントと称する。また、チャットルームに参加する１人以上の他のユーザクライアント２００を参加者クライアントと称する。
【０２２９】
チャットルームが生成されることにより、ホストクライアント２００は、チャットルームに参加するための情報を含む２次元コード５００を生成し、２次元コード５００をプリンタ１００を利用して出力することができる。即ち、ホストクライアント２００は、生成された２次元コード５００をプリンタ１００に送信し、出力することができる。
【０２３０】
一実施例において、ホストクライアント２００は、サーバに、チャットルームに参加するための情報を含む２次元コード５００の生成を要請することができる。サーバは、チャットルームに参加するための情報を含む２次元コード５００を生成し、生成された２次元コード５００をホストクライアント２００に送信することができる。
【０２３１】
一実施例において、２次元コード５００は、チャットルームにアクセスできるリンク情報及びチャットルームを利用するための認証情報を含み得る。例えば、２次元コード５００は、チャットルームにアクセスできるＵＲＬ及びチャットルームを利用するためのパスワードを含む。
【０２３２】
一実施例において、２次元コード５００は、２次元コード５００が生成された時間に関する情報を含み得る。参加者クライアントが２次元コード５００を撮影してチャットルームを利用しようとする場合、サーバ又はホストクライアント２００は、参加者クライアントが撮影した２次元コード５００に含まれた、２次元コード５００を生成した時間に関する情報を取得することができる。
【０２３３】
２次元コード５００を生成した時間から所定時間以上経過した場合、サーバ又はユーザクライアント２００は、参加者クライアントのチャットルームへの入場を許容しないこともあり得る。即ち、サーバ又はユーザクライアント２００は、２次元コード５００を生成及び出力してから所定時間内に出力された２次元コード５００を撮影した参加者クライアントのみにチャットルームへの入場を許容することができる。
【０２３４】
一実施例において、２次元コード５００は、再接着式メモ紙３００を出力する特定プリンタ１００でのみ出力されるように設定され得る。
【０２３５】
例えば、再接着式メモ紙３００を出力する特定プリンタ１００には、暗号化及び復号化に利用される暗証キーが保存される。
【０２３６】
また、プリンタ１００を利用する１人以上のユーザクライアント２００には、公開キーが配布され得る。
【０２３７】
ユーザクライアント２００は、公開キーを利用して２次元コードを暗号化して送信し、プリンタ１００は暗証キーを利用して２次元コードを復号化して出力することができる。
【０２３８】
公開キー及び暗証キーを利用する方法の他にも、その他の様々な暗号化及び復号化方法を利用して２次元コード５００に対する暗号化及び復号化作業が行われることができる。
【０２３９】
他の実施例において、２次元コード５００を暗号化する代わりに、プリンタ１００に対する認証を行い、認証されたプリンタ１００でのみ２次元コード５００を出力できるように設定されることもできる。
【０２４０】
図２２は、参加者クライアントがチャットルームに参加する方法の一例を示す図である。
【０２４１】
図２２を参照すると、参加者クライアント２５０は、２次元コード５００が出力された再接着式メモ紙５１０を撮影することができる。参加者クライアント２５０は、撮影された２次元コード５００からチャットルームにアクセスするためのリンク情報及びチャットルームを利用するための認証情報を取得することができる。
【０２４２】
参加者クライアント２５０は、取得したリンク情報を利用してチャットルームにアクセスし、取得した認証情報を送信してチャットルームへの入場の承認を要請することができる。サーバ又はホストクライアント２００から承認情報を受信すれば、参加者クライアント２５０はチャットルームに参加することができる。
【０２４３】
一実施例において、サーバ又はホストクライアント２００は、参加者クライアント２５０から受信した認証情報の有効性を判断することができる。サーバ又はホストクライアント２００は、参加者クライアント２５０から受信した認証情報が有効であると判断される場合、受信した認証情報に基づいて参加者クライアント２５０への認証を行い、チャットルームへの入場を承認するか否かを決定することができる。
【０２４４】
例えば、認証情報は、２次元コード５００が生成された時間に関する情報を含む。サーバ又はホストクライアント２００は、参加者クライアント２５０から受信した認証情報に含まれた、２次元コード５００が生成された時間から所定時間内に認証情報を受信した場合、認証情報が有効であると判断することができる。
【０２４５】
ホストクライアント２００は、ホストクライアント２００と連結された１つ以上のプリンタに関する情報をサーバに送信することができる。
【０２４６】
参加者クライアント２５０は、サーバからホストクライアント２００と連結された１つ以上のプリンタに関する情報を受信することができる。例えば、参加者クライアント２５０は、ホストクライアント２００と連結された１つ以上のプリンタとペアリングするための情報を受信する。
【０２４７】
プリンタとペアリングするための情報は、ホストクライアント２００と連結された１つ以上のプリンタのブルートゥース探索名又はペアリングを行うためのパスワードを含み得る。
【０２４８】
参加者クライアント２５０は、受信した情報を利用してホストクライアント２００と連結された１つ以上のプリンタとペアリングを行うことができる。
【０２４９】
例えば、参加者クライアント２５０は、ブルートゥース探索を行い、受信した情報に含まれたブルートゥース探索名に対応する１つ以上のプリンタを選択し、１つ以上のプリンタの各々に対応するパスワードを送信することで、１つ以上のプリンタとペアリングを行う。
【０２５０】
図２３は、一実施例により、チャットルームを利用する方法を示す図である。
【０２５１】
図２３に係る事実施例において、チャットルームでユーザクライアント２００のユーザはＡ、参加者クライアント２５０のユーザはＢと表示され得る。
【０２５２】
図２３に示されたように、チャットルームは、ユーザ間でテキスト及びイメージを含むメッセージを交換するために利用され得る。チャットルームにアップロードされたテキスト及びイメージは、プリンタ１００を利用して出力され得る。
【０２５３】
例えば、ユーザクライアント２００は、チャットルームにアップロードされてユーザクライアント２００の画面に表示されたイメージ又はテキストに対する選択の入力を受信する。ユーザクライアント２００は、選択されたイメージ又はテキストをプリンタ１００に送信して出力することができる。
【０２５４】
一実施例において、チャットルームにアップロードされてユーザクライアント２００の画面に表示されたイメージ又はテキストには、プリンタ１００に送信して出力するための出力ボタンが共に表示され得る。ユーザクライアント２００の画面に表示された出力ボタンに対する選択の入力を受信すれば、ユーザクライアント２００は、選択された出力ボタンに対応するイメージ又はテキストをプリンタ１００に送信して出力することができる。
【０２５５】
一実施例において、チャットルームにアップロードされるテキスト又はイメージは、チャットルームにアップロードされると同時にプリンタ１００に送信されて出力されることもできる。従って、ユーザは、ユーザクライアント２００を利用してテキスト又はイメージをチャットルームにアップロードすると同時にプリンタ１００で出力されるようにすることができる。
【０２５６】
一実施例において、チャットルームにアップロードされたテキスト又はイメージは、再接着式メモ紙３００を出力する特定プリンタ１００でのみ出力されるように設定され得る。
【０２５７】
図２４は、チャットルームにアップロードされたテキスト又はイメージを出力する一例を示す図である。
【０２５８】
一実施例において、ユーザクライアント２００は、１つ以上のプリンタ１００、１０１、及び１０２と連結され得る。ユーザクライアント２００の画面に表示された出力ボタンに対する選択の入力を受信すれば、ユーザクライアント２００は、出力可能な色のリストを表示することができる。図２４を参照すると、ユーザクライアント２００には白、黄色、及び緑の再接着式メモ紙を出力できるプリンタが連結されている。
【０２５９】
従って、ユーザがチャットルームにアップロードされたテキスト又はイメージを出力しようとする場合、ユーザクライアントは、白、黄色、及び緑のうち１つを選択できる画面を表示することができる。
【０２６０】
ユーザが色を選択した場合、ユーザクライアント２００は、選択された色に対応するプリンタに編集画面を送信し、出力することができる。
【０２６１】
図２４を参照すると、ユーザクライアント２００は、チャットルームにアップロードされてユーザクライアント２００の画面に表示された第１のイメージ６１０を出力する選択の入力及び白を選択する選択の入力を受信することができる。従って、ユーザクライアント２００は、第１のイメージ６１０に関する情報を白の再接着式メモ紙を出力するプリンタ１００に送信し、出力することができる。
【０２６２】
また、ユーザクライアント２００は、チャットルームにアップロードされてユーザクライアント２００の画面に表示された第２のイメージ６２０を出力する選択の入力及び緑を選択する選択の入力を受信する。従って、ユーザクライアント２００は、第２のイメージ６２０に関する情報を緑の再接着式メモ紙を出力するプリンタ１０２に送信し、出力することができる。
【０２６３】
図２５を参照すると、ホストクライアントであるユーザクライアント２００と参加者クライアントであるユーザクライアント２５０とがチャットルームを利用する例が示されている。
【０２６４】
一実施例において、ユーザクライアント２００及びユーザクライアント２５０の画面にはチャットルームが表示され得る。ユーザクライアント２００及びユーザクライアント２５０の画面に表示されたチャットルームには、ユーザクライアント２００がアップロードした第１のイメージ６１０とユーザクライアント２５０がアップロードした第２のイメージ６２０及び第３のイメージ６３０とが表示され得る。
【０２６５】
一実施例において、チャットルームは、サーバ７００によって管理され得る。サーバ７００は、ユーザクライアント２００及びユーザクライアント２５０からアップロードされた第１のイメージ６１０、第２のイメージ６２０、及び第３のイメージ６３０と１つ以上のテキストメッセージを受信する。
【０２６６】
サーバ７００は、ユーザクライアント２００から受信した１つ以上のテキストメッセージ及び１つ以上のイメージをユーザクライアント２５０に伝達し、ユーザクライアント２５０から受信した１つ以上のテキストメッセージ及び１つ以上のイメージをユーザクライアント２００に伝達する。
【０２６７】
また、サーバ７００は、ユーザクライアント２００及びユーザクライアント２５０から受信した１つ以上のテキストメッセージ及び１つ以上のイメージを、ユーザクライアント２００及びユーザクライアント２５０が利用中のチャットルームに対応する保存空間に保存することができる。
【０２６８】
一実施例において、ユーザクライアント２００又はユーザクライアント２５０は、第１のイメージ６１０、第２のイメージ６２０、及び第３のイメージ６３０のうち少なくとも１つを出力する選択の入力を受信することができる。
【０２６９】
ユーザクライアント２００又はユーザクライアント２５０は、受信した選択の入力に対応して第１のイメージ６１０、第２のイメージ６２０、及び第３のイメージ６３０のうち少なくとも１つに関する情報をプリンタ１００、１０１、又は１０２に送信し、出力することができる。
【０２７０】
図２６は、プリンタを利用して出力された再接着式メモ紙を利用して会議を進行する一例を示す図である。
【０２７１】
再接着式メモ紙を出力するプリンタを利用する一実施例において、１つ以上のプリンタ１００乃至１０２を利用して出力された１つ以上の再接着式メモ紙６１２乃至６３２を利用した会議が行われることができる。
【０２７２】
例えば、出力された１つ以上の再接着式メモ紙６１２乃至６３２をホワイトボードに付着し、ホワイトボードに筆記しながら会議が進行される。
【０２７３】
図２６に示された１つ以上の再接着式メモ紙６１２乃至６３２はそれぞれ、図２５に示されたチャットルームにアップロードされた１つ以上のイメージ６１０乃至６３０の各々を出力したものであり得る。
【０２７４】
図２７を参照すると、ユーザクライアント２００を利用して図２６に示された会議結果を撮影する一例が示されている。
【０２７５】
一実施例において、ユーザクライアント２００は、出力された１つ以上の再接着式メモ紙６１２、６２２、及び６３２を含む領域を撮影する。ユーザクライアント２００は、出力された１つ以上の再接着式メモ紙６１２、６２２、及び６３２を含む領域が撮影されたイメージを取得し、取得したイメージに含まれた少なくとも一部の領域である１つ以上の再接着式メモ紙６１２、６２２、及び６３２を認識することができる。
【０２７６】
ユーザクライアント２００は、認識された１つ以上の再接着式メモ紙６１２、６２２、及び６３２に含まれたイメージとサーバ７００に保存された１つ以上のイメージとをマッチングすることができる。
【０２７７】
一実施例において、ユーザクライアント２００は、ユーザクライアント２００が連結されたチャットルームでアップロードされてサーバ７００に保存されたイメージのうち、再接着式メモ紙６１２、６２２、及び６３２に含まれたイメージとマッチングされるイメージを探索することができる。
【０２７８】
また、サーバ７００は、ユーザクライアント２００に対し、ユーザクライアント２００が所属したチャットルームに対応する保存空間に保存されたイメージのみに対してアクセス権を許容することができる。従って、図２２乃至図２５に示されたチャットルームを利用して会議を行ったユーザクライアントのみが図２６に示された再接着式メモ紙を撮影した際にマッチングされるイメージを取得することができる。
【０２７９】
例えば、ユーザクライアント２００は、再接着式メモ紙６１２に含まれたイメージとサーバ７００に保存された第１のイメージ６１０とをマッチングする。同様に、ユーザクライアント２００は、再接着式メモ紙６２２に含まれたイメージとサーバ７００に保存された第２のイメージ６２０とをマッチングし、再接着式メモ紙６３２に含まれたイメージとサーバ７００に保存された第３のイメージ６３０とをマッチングする。
【０２８０】
一実施例において、再接着式メモ紙に含まれたイメージとサーバに保存されたイメージとをマッチングするには、イメージの類似度を分析できる如何なる方法やその他のアルゴリズムでも利用することができる。
【０２８１】
ユーザクライアント２００は、再接着式メモ紙に含まれたイメージとサーバ７００に保存されたイメージとの類似度を判断し、再接着式メモ紙に含まれたイメージと所定の基準値以上の類似度を有する１つ以上のイメージのうち最も高い類似度を有するイメージを選択することができる。ユーザクライアント２００は、選択されたイメージを再接着式メモ紙に含まれたイメージとマッチングすることができる。
【０２８２】
一実施例において、ユーザクライアント２００は、再接着式メモ紙に含まれたイメージをサーバ７００に送信することができる。
【０２８３】
サーバ７００は、サーバ７００に保存されたイメージとユーザクライアント２００から受信したイメージとの類似度を判断し、受信したイメージと所定の基準値以上の類似度を有する１つ以上のイメージのうち最も高い類似度を有するイメージを選択することができる。サーバ７００は、選択されたイメージをユーザクライアント２００に送信することができる。
【０２８４】
開示された実施例において、撮影されたイメージから認識された再接着式メモ紙に含まれたイメージとサーバに保存されたイメージとの類似度を判断し、マッチングする方法の一部又は全部がそれぞれユーザクライアント２００又はサーバ７００で行われ得る。
【０２８５】
ユーザクライアント２００は、認識された再接着式メモ紙６１２、６２２、及び６３２に含まれたイメージに対応する第１のイメージ６１０、第２のイメージ６２０、及び第３のイメージ６３０をダウンロードすることができる。
【０２８６】
ユーザクライアント２００は、撮影されたイメージから認識された再接着式メモ紙６１２、６２２、及び６３２に含まれたイメージの各々をマッチングされる第１のイメージ６１０、第２のイメージ６２０、及び第３のイメージ６３０に取り替えて表示することができる。
【０２８７】
再接着式メモ紙６１２、６２２及び６２３に表示されたイメージは、出力過程で画質が多少損傷することがあり得る。また、出力された再接着式メモ紙６１２、６２２及び６２３を撮影し、撮影されたイメージを取得する過程でもう一度再接着式メモ紙６１２、６２２及び６２３に含まれたイメージの画質が損傷することがあり得る。
【０２８８】
開示された実施例によれば、撮影された画面において認識された再接着式メモ紙６１２、６２２、及び６３２に含まれたイメージに対応する第１のイメージ６１０、第２のイメージ６２０、及び第３のイメージ６３０のファイル（又は原本ファイル）をダウンロードし、ダウンロードされたイメージにて撮影された画面に表示されたイメージを取り替えることによって、画質の損傷なしに鮮明なイメージを表示することができる。
【０２８９】
ユーザクライアント２００は、再接着式メモ紙６１２が認識された領域に再接着式メモ紙６１２に含まれたイメージに対応する第１のイメージ６１０を表示することができる。一実施例において、ユーザクライアント２００は、第１のイメージ６１０を再接着式メモ紙６１２が認識された領域の大きさに変換してユーザクライアント２００の画面に表示することができる。
【０２９０】
例えば、ユーザクライアント２００は、再接着式メモ紙６１２に含まれたイメージの大きさ及び方向に応じて第１のイメージ６１０を変換し、表示することができる。
【０２９１】
同様に、ユーザクライアント２００は、再接着式メモ紙６２２が認識された領域に再接着式メモ紙６２２に含まれたイメージに対応する第１のイメージ６２０を表示し、再接着式メモ紙６３２が認識された領域に再接着式メモ紙６３２に含まれたイメージに対応する第３のイメージ６３０を表示することができる。
【０２９２】
一実施例において、ユーザクライアント２００の画面に表示された撮影画面に対する拡大又は縮小の入力を受信することができる。ユーザクライアント２００の画面に表示された撮影画面が拡大又は縮小される場合、ユーザクライアント２００の画面に表示された再接着式メモ紙６１２、６２２、及び６３２の大きさも拡大又は縮小される。
【０２９３】
従って、ユーザクライアント２００の画面で再接着式メモ紙６１２、６２２、及び６３２が認識された領域に表示された第１のイメージ６１０、第２のイメージ６２０及び第３のイメージ６３０の大きさも拡大又は縮小される。
【０２９４】
ユーザクライアント２００の画面に表示された撮影画面において再接着式メモ紙６１２、６２２、及び６３２が認識された領域には、撮影されたイメージではなく、サーバ７００からダウンロードされた第１のイメージ６１０、第２のイメージ６２０、及び第３のイメージ６３０が表示される。従って、ユーザクライアント２００の画面に表示された撮影画面が拡大又は縮小されても、再接着式メモ紙６１２、６２２、及び６３２が認識された領域に表示されたイメージは鮮明に表示され得る。
【０２９５】
図２８を参照すると、ユーザクライアント２００の画面に表示された撮影画面において再接着式メモ紙６２２及び６３２が表示された部分を拡大した一例が示されている。
【０２９６】
一実施例において、ユーザクライアント２００は、再接着式メモ紙に表示されたイメージとサーバ７００に保存されたイメージとを自動でマッチングできないことがあり得る。
【０２９７】
図２９を参照すると、ユーザクライアント２００が再接着式メモ紙６２２に表示されたイメージとサーバ７００に保存されたイメージとを自動でマッチングできなかった場合の一例が示されている。
【０２９８】
一実施例において、ユーザクライアント２００が再接着式メモ紙６２２に表示されたイメージとサーバ７００に保存されたイメージとの類似度を判断した結果、再接着式メモ紙６２２に表示されたイメージと所定の基準値以上の類似度を有するイメージがないことがあり得る。その場合、ユーザクライアント２００はマッチングに失敗する。
【０２９９】
一実施例において、ユーザクライアント２００は、再接着式メモ紙６２２に表示されたイメージをサーバ７００に送信することができる。サーバ７００が再接着式メモ紙６２２に表示されたイメージとサーバ７００に保存されたイメージとの類似度を判断した結果、再接着式メモ紙６２２に表示されたイメージと所定の基準値以上の類似度を有するイメージがないことがあり得る。その場合、サーバ７００は、マッチングに失敗したというメッセージをユーザクライアント２００に送信することができる。
【０３００】
撮影されたイメージに表示されたイメージがサーバに保存されたイメージに取り替えられない場合、ユーザクライアント２００に表示された撮影画面が拡大されると、撮影画面の解像度によって拡大された撮影画面が鮮明に表示されないことがあり得る。
【０３０１】
従って、図２９に示されたように、拡大された撮影画面に表示された再接着式メモ紙６２２に含まれたイメージも鮮明に表示されないことがあり得る。
【０３０２】
従って、この場合、ユーザクライアント２００は、ユーザが直接イメージをマッチングできるインターフェースを画面に表示することができる。
【０３０３】
例えば、ユーザクライアント２００は、サーバ７００に保存された１つ以上のイメージを画面に表示する。ユーザクライアント２００は、画面に表示された１つ以上のイメージ６２０及び６３０のうち、ユーザから選択の入力を受信した第２のイメージ６２０を再接着式メモ紙６２２に表示されたイメージとマッチングすることができる。
【０３０４】
ユーザクライアント２００は、第２のイメージ６２０を再接着式メモ紙６２２が認識された領域に表示することができる。
【０３０５】
一実施例において、ユーザクライアント２００は、ユーザクライアント２００の画面に表示された第１のイメージ６１０、第２のイメージ６２０、又は第３のイメージ６３０に対するユーザの選択の入力を受信することができる。
【０３０６】
第１のイメージ６１０、第２のイメージ６２０、又は第３のイメージ６３０に対するユーザの選択の入力を受信すれば、ユーザクライアント２００は、選択の入力を受信したイメージを拡大して表示することができる。例えば、ユーザクライアント２００の画面に表示された第１のイメージ６１０に対するユーザの選択の入力を受信すれば、ユーザクライアント２００は、サーバ７００からダウンロードされた第１のイメージ６１０を拡大してユーザクライアント２００の画面に表示する。
【０３０７】
一実施例において、撮影されたイメージにおいて認識された１つ以上の再接着式メモ紙に含まれた１つ以上のイメージのうち所定割合（例えば、５０％）以上のイメージに対してサーバ７００に保存されたイメージとのマッチングに失敗する場合、ユーザクライアント２００は、ユーザに再撮影を要請することができる。
【０３０８】
図３０は、撮影された再接着式メモ紙を抽出してユーザクライアントの画面に表示する一例を示す図である。
【０３０９】
一実施例において、ユーザクライアント２００は、図２７のユーザクライアント２００に表示された画面において１つ以上の再接着式メモ紙６１２、６２２、及び６３２を認識し、認識された１つ以上の再接着式メモ紙６１２、６２２、及び６３２を抽出してユーザクライアント２００の画面に表示することができる。
【０３１０】
例えば、ユーザクライアント２００は、図２７のユーザクライアント２００が撮影した画面において認識された１つ以上の再接着式メモ紙６１２、６２２、及び６３２を除いた残りの部分を除去し、認識された１つ以上の再接着式メモ紙６１２、６２２、及び６３２のみを抽出してユーザクライアント２００の画面に表示する。
【０３１１】
一実施例において、ユーザクライアント２００は、抽出された１つ以上の再接着式メモ紙６１２、６２２、及び６３２を整列してユーザクライアント２００の画面に表示することができる。ユーザクライアント２００が抽出された１つ以上の再接着式メモ紙６１２、６２２、及び６３２を整列する方法は、限定されるものではない。
【０３１２】
一実施例において、ユーザクライアント２００は、図２７に示された撮影画面において１つ以上の再接着式メモ紙６１２、６２２、及び６３２の各々の位置関係を取得することができる。ユーザクライアント２００は、取得した位置関係を利用して１つ以上の再接着式メモ紙６１２、６２２、及び６３２を整列し、表示することができる。
【０３１３】
本発明の実施例と関連して説明された方法又はアルゴリズムのステップは、ハードウェアに直接具現されるか、ハードウェアによって実行されるソフトウェアモジュールに具現されるか、或いはこれらの結合によって具現され得る。ソフトウェアモジュールは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリ（Ｆｌａｓｈ  Ｍｅｍｏｒｙ）、ハードディスク、着脱式ディスク、ＣＤ−ＲＯＭ、或いは本発明の属する技術分野において良く知られた任意の形態のコンピュータ読み取り可能な記録媒体に常在することもあり得る。
【０３１４】
以上、添付された図面を参照しながら本発明の実施例を説明したが、本発明が属する技術分野において通常の技術者であれば、本発明がその技術的思想や必須の特徴を変更することなく他の具体的な形態で実施され得ることを理解できるはずである。それ故、上述した実施例は全ての面において例示的なものであり、制限的なものではないと理解すべきである。
【符号の説明】
【０３１５】
１００：再接着式メモ紙を出力するプリンタ
２００：ユーザクライアント
２１０：編集領域
３００：再接着式メモ紙
３１０：粘着部
【図１】
2019524481.tif 000003
【図２】
2019524481.tif 000004
【図３】
2019524481.tif 000005
【図４】
2019524481.tif 000006
【図５】
2019524481.tif 000007
【図６】
2019524481.tif 000008
【図７】
2019524481.tif 000009
【図８】
2019524481.tif 000010
【図９】
2019524481.tif 000011
【図１０】
2019524481.tif 000012
【図１１】
2019524481.tif 000013
【図１２】
2019524481.tif 000014
【図１３】
2019524481.tif 000015
【図１４】
2019524481.tif 000016
【図１５】
2019524481.tif 000017
【図１６】
2019524481.tif 000018
【図１７】
2019524481.tif 000019
【図１８】
2019524481.tif 000020
【図１９】
2019524481.tif 000021
【図２０】
2019524481.tif 000022
【図２１】
2019524481.tif 000023
【図２２】
2019524481.tif 000024
【図２３】
2019524481.tif 000025
【図２４】
2019524481.tif 000026
【図２５】
2019524481.tif 000027
【図２６】
2019524481.tif 000028
【図２７】
2019524481.tif 000029
【図２８】
2019524481.tif 000030
【図２９】
2019524481.tif 000031
【図３０】
2019524481.tif 000032
【国際調査報告】
2019524481.tif 000033
2019524481.tif 000034
2019524481.tif 000035
2019524481.tif 000036
2019524481.tif 000037
2019524481.tif 000038
2019524481.tif 000039
2019524481.tif 000040
2019524481.tif 000041
2019524481.tif 000042
2019524481.tif 000043
2019524481.tif 000044
2019524481.tif 000045
2019524481.tif 000046
2019524481.tif 000047
2019524481.tif 000048